【事件の表示】
　特許第３０２９９１０号「土壌消毒機」の請求項１、２に係る特許に対する特許異議の申立てについて、次のとおり決定する。
【結　論】
　訂正を認める。
　特許第３０２９９１０号の請求項１に係る特許を維持する。
【理　由】
（１）手続の経緯
　特許第３０２９９１０号の請求項１ないし２に係る発明についての出願は、平成４年１月２４日に特許出願され、平成１２年２月４日にその発明について特許の設定登録がなされ、その後、その特許について、異議申立人株式会社共立により特許異議の申立てがなされ、取消理由通知がなされ、その指定期間内である平成１３年３月１３日に訂正請求がなされたものである。
（２）訂正の適否についての判断
ア．訂正の内容
ａ．特許請求の範囲の「【請求項１】トラクタの後部に牽引するマルチ同時土壌消毒機において、トラクタのタイヤの後部にサブソイラを配置し、該サブソイラの後部に配置した横杆に複数本の薬液注入爪を配置し、該それぞれの薬液注入爪の後部にポンプ及び駆動部を配置し、前記駆動部の駆動輪により土壌を鎮圧すべく構成し、前記ポンプ及び駆動部の後部に土壌均平板を配置し、該土壌均平板の左右側方位置に溝切りディスクを配置し、前記土壌均平板の後部にフィルム筒とフィルム押圧輪と覆土ディスクを配置したことを特徴とする土壌消毒機。
【請求項２】請求項１記載の土壌消毒機において、それぞれの駆動部の駆動輪の枢支軸を軸連結したことを特徴とする土壌消毒機」を
「【請求項１】　トラクタの後部に牽引するマルチ同時土壌消毒機において、トラクタのタイヤの後部にサブソイラを配置し、該サブソイラの後部に配置した横杆に複数本の薬液注入爪を配置し、該それぞれの薬液注入爪の後部にポンプ及び駆動部を配置し、前記駆動部の駆動輪により土壌を鎮圧すべく構成し、前記ポンプ及び駆動部の後部に土壌均平板を配置し、該土壌均平板の左右側方位置に溝切りディスクを配置し、前記土壌均平板の後部にフィルム筒とフィルム押圧輪と覆土ディスクを配置し、前記それぞれの駆動部の駆動輪の枢支軸を軸連結したことを特徴とする土壌消毒機」と訂正する。
ｂ．明細書段落【００１７】の「請求項２の如く構成したので、圃場の傾斜や凹凸に関係なく、薬液ポンプを駆動させることができることにより、薬液を土壌内に均一に注入することができ、確実に土壌内の殺虫作業を行うことができるのである。」を
「また、圃場の傾斜や凹凸に関係なく、薬液ポンプを駆動させることができることにより、薬液を土壌内に均一に注入することができ、確実に土壌内の殺虫作業を行うことができるのである。」と訂正する。
イ．訂正の目的の適否、新規事項の有無、及び拡張・変更の存否
　上記訂正事項ａは、請求項１に請求項２の技術事項を付加したもの、すなわち、実質的に請求項２に係る発明に限定されたものであるから、特許請求の範囲の減縮を目的とするものである。
　上記訂正事項ｂは、上記訂正ａに伴い、これらと整合を図るために、発明の詳細な説明を訂正するものであるから、明りょうでない記載の釈明を目的とするものである。
　そして、上記訂正は願書に添付した明細書または図面に記載された事項の範囲を越えるものとは認められないから、新規事項の追加に該当せず、また特許請求の範囲を実質的に拡張または変更するものではない。
ウ．むすび
　以上のとおりであるから、上記訂正は、特許法第１２０条の４第２項および第３項で準用する特許法第１２６条第２項および第３項の規定に適合するので、当該訂正を認める。
（３）特許異議の申立てについて
ア．申立ての理由の概要
　申立人株式会社共立は、甲第１ないし４号証を提出し、請求項１ないし２に係る発明は、甲第１ないし４号証に記載の発明に基づいて当業者が容易に発明をすることができたものであるから、請求項１ないし２に係る発明の特許は、特許法第２９条第２項の規定に違反してなされたものであり取り消されべきものである旨主張している。
イ．本件発明
　本件特許第３０２９９１０号の請求項１に係る発明（以下、本件発明という。）は平成１３年３月１３日付けで提出された訂正明細書の特許請求の範囲の請求項１に記載された次の事項により特定されるとおりのものである。
「【請求項１】トラクタの後部に牽引するマルチ同時土壌消毒機において、トラクタのタイヤの後部にサブソイラを配置し、該サブソイラの後部に配置した横杆に複数本の薬液注入爪を配置し、該それぞれの薬液注入爪の後部にポンプ及び駆動部を配置し、前記駆動部の駆動輪により土壌を鎮圧すべく構成し、前記ポンプ及び駆動部の後部に土壌均平板を配置し、該土壌均平板の左右側方位置に溝切りディスクを配置し、前記土壌均平板の後部にフィルム筒とフィルム押圧輪と覆土ディスクを配置し、前記それぞれの駆動部の駆動輪の枢支軸を軸連結したことを特徴とする土壌消毒機」
ウ．甲第１ないし４号証記載の発明
　甲第１号証（実願平２−４２６７９号（実開平４−３５７８号）のマイクロフィルム）には、「トラクタの左右の車輪４・４’の間に配置した三点リンク作業機装着装置の、トップリンク１３とロアリンク１２により、消毒機フレーム７の縦フレーム７ａを枢支している。該縦フレーム７ａの下方に消毒機フレーム７が水平方向に突出されており、該消毒機フレーム７に、前方からサブソライ２と消毒機駆動輪３と注入爪１と整地板９が支持されている。」（５頁１２〜１９行）、「該消毒機駆動輪３の回転がチェーンケースを介して、ポンプユニット６の駆動軸に伝達されている。消毒機フレーム７の上部に配置した薬液タンク５内の薬液を吸引パイプ１４によりポンプユニット６に吸引し、吐出パイプ１５により吐出し、注入爪１の先端から土壌内に吐出するのである。」（６頁８〜１３行）、「そして、該注入爪１により土壌面に出来た切削溝をまず整地板９により整地して溝を埋めて、〜または第１図の如くマルチング装置によりフィルムＦを被覆するのである。」（６頁１８行〜７頁２行）、「また上下回動フレーム１７・１７の後端にマルチ取付ブラケット３１が付設されており、該マルチ取付ブラケット３１にヒッチ３２を介してマルチフレーム２４の縦杆２４ａが固設されている。該マルチフレーム２４に摺動ブラケット２５を介して嵌装筒フレーム２６が固定され、該嵌装筒フレーム２６にスライドフレーム２７が摺動自在に嵌装されている。スライドフレーム２７の端部に溝切フレーム２８が位置調節自在に固定されており、該溝切フレーム２８に溝切ディスク１９とマルチ支持輪２０と、フィルム筒２１を支持するフィルム筒固定軸４１が支持されている。また、溝切フレーム２８の後部に、上下回動自在に枢支した覆土フレーム２９に押圧輪２２と覆土輪２３が支持されている。」（８頁１０行〜９頁５行）と記載されている。
　甲第２号証（実公昭５３−９６６３号公報）には、「作条爪１７が地面へ１０〜２０ｃｍの深さに喰込みつつ進行して注入溝を切り、駆動ローラ２１は突片２３の地面への喰込みにより回転し、側面のピン４７が円形の軌跡を回動する。ピン４７が回動する途中で転子４４を介してレバー３６を押上げ、ピン４７が転子３６から外れるとばね４０がレバー３６を引下げるので、レバー３６はピン４７が転子４４の位置へ回りくる毎に１回づつ揺動する。レバー３６の揺動によりロッド４５が作動杆４６を進退させるのでポンプ３４は適量の薬液を送出し、この薬液は作条爪１７の爪先から地中へ注入され、次に駆動ローラ２１が地面を圧下しつつ進行し、注入溝を埋めてかつ洩れを防ぐ。」（３欄２７〜４０行）、「２条注入の場合に縦杆６を外して第３図に示す如く縦杆５５に上りツールバー５０を機台端のヒッチ金具５に吊持させ、ツールバーの両側部の筒金５２，５２に２ユニットの土中消毒機の主杆１０、１０を連結し、主杆１０、１０が３０ｃｍの注入間隔をへだてるように筒金５２、５２を固定する。次に台枠２６の両側のボルト２９，２９を架板３０、３０の内側の通孔３１、３１に入れてボルト３２、３２で螺合し、台枠２６を２つの架板に跨って固定する。この台枠に薬液缶２７を固定して２本の導管を各作条爪１７、１７の下端近くへ入れ、作業者が走行車１を運転すると薬液は２本の注入溝へ注入されその後を駆動ローラ２１、２１が進行してガス洩れを防ぐ。ここに台枠２６の横巾Ｙを注入間隔Ｘの半分に作りかつ架板３０の真ん中を支持杆１３に固着してあるから、主杆１０、１０を注入間隔に配置すれば台枠２６は２つの架板３０、３０に跨って載着される。本考案によるときは作業爪と駆動ロ−ラからなる土壌消毒機をユニット式に組み薬液缶を載せる台枠の横中を注入間隔の半分に作りかつ台枠の両側のボルトを固定する架板の真ん中を支持杆に固着したから、１個の薬液缶を１ユニット又は２ユニットの土壌消毒機に載架することかでき、所望に応じて１条注入と２条注入を簡単に行いうる効果を有す。」（４欄７〜３２行）と記載され、第１図には、作条爪１７の後部に、ポンプ３４、駆動ローラ２１を配置することが記載されている。
　甲第３号証（実公昭５８ー１１１８２号公報）には、「ポンプ駆動部室１１には車軸７を貫通せしめ、該車軸７の左右に輪距調節可能にして、接地車輪８を嵌合固着する。」（２欄３〜５行）、「さらに、薬液注入刃３が開削した薬液注入溝を圧封し、地表面１９を均平する鎮圧均平板１０を牽引鎖９により本機後方に牽引せしめる。」（２欄２０〜２２行）と記載されている。
　甲第４号証（実願平２−４４２８５号（実開平４−３５７９号）のマイクロフィルム）には、「該土壌消毒機取付杆１４・１４の後端の前後調節ブラケット２５を介して、マルチング装置取付杆２１にマルチングフレーム２２が横設されている。該マルチングフレーム２２の端部にマルチ固定フレーム２３が固設され、該マルチ固定フレーム２３に溝切りディスク１０とマルチング支持車輪１１と、フィルム筒３を取り付けるフィルム取付軸８ａが支持されている。」（６頁３〜１１行）と記載されている。
エ．対比・判断
　本件発明と甲第１号証に記載の発明を対比すると、両者は、「トラクタの後部に牽引するマルチ同時土壌消毒機において、トラクタのタイヤの後部にサブソイラを配置し、該サブソイラの後部にに複数本の薬液注入爪、ポンプ、駆動部、駆動部の駆動輪、土壌均平板及び溝切りディスクを配置し、前記土壌均平板の後部にフィルム筒とフィルム押圧輪と覆土ディスクを配置した土壌消毒機。」である点で一致するが、（１）薬液注入爪、ポンプ、駆動部及び駆動部の駆動輪の配置が、本件発明では、それぞれの薬液注入爪の後部にポンプ及び駆動部を配置し、前記駆動部の駆動輪により土壌を鎮圧すべく構成しているのに対し、甲第１号証に記載の発明では、薬液注入爪の前方に駆動輪、ポンプ及び駆動部を配置している点、（２）溝切りディスクを、本件発明では、土壌均平板の左右側方位置に配置しているのに対し、甲第１号証に記載の発明では、土壌均平板の後方位置である点、および（３）ポンプ駆動部の駆動輪が、本件発明では、それぞれの駆動部の駆動輪の枢支軸を軸連結しているのに対し、甲第１号証には、このような構成は記載されていない点で相違する。
　上記相違点について検討すると、相違点（１）については、甲第２号証には、それぞれの薬液注入爪の後部にポンプ及び駆動部を配置し、前記駆動部の駆動輪により土壌を鎮圧することが記載されているから、本件発明のように、薬液注入爪、ポンプ、駆動部及び駆動部の駆動輪を配置することは当業者が容易に想到し得るものとしても、上記相違点（２）、（３）については、甲第２ないし４号証には記載されていない。　　
　すなわち、甲第２号証には、上記に摘出事項は記載されているが、ポンプのそれぞれの駆動部の駆動輪の枢支軸を軸連結することも、土壌均平板も溝切りディスクも設けることも記載されておらず、甲第３号証には、ポンプ駆動部室１１には車軸７を貫通せしめ、該車軸７の左右に接地車輪８を嵌合固着することは記載されているが、これは、車軸と車軸両側の接地車輪で一つの駆動部を構成してポンプを駆動するものであって、ポンプのそれぞれの駆動部の駆動輪の枢支軸を軸連結したものではないし、土壌均平板も溝切りディスクも設けることについての記載もなく、また、甲第４号証には、ポンプを駆動する駆動輪は設けられおらず、溝切りディスクは、甲第１号証と同様に、土壌均平板（整地板）の後部に設けているから、甲第２ないし４号証には、上記相違点（２）、（３）についての記載も、これら構成を示唆する記載も認められない。
　そして、本件発明は、上記事項を備えることにより、明細書段落【００１６】、【００１７】記載の効果を奏するものであるから、甲第１ないし４号証に記載の発明に基づいて当業者が容易に発明をすることができたものではない。
オ．むすび
　以上のとおりであるから、特許異議申立ての理由および証拠によっては、本件発明の特許を取り消すことはできない。
　また、他に本件発明の特許を取り消すべき理由を発見しない。
　したがって、本件発明についての特許は拒絶の査定をしなければならない特許出願に対してなされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により結論のとおり決定する。
【異議決定日】
平成１３年３月３０日（２００１．３．３０）
【訂正の要旨】
　特許第３０２９９１０号の明細書を本件訂正請求書に添付の訂正明細書のとおりに訂正する。即ち、特許請求の範囲の減縮を目的として下記ａのとおり訂正し、明りょうでない記載の釈明を目的として下記ｂのとおり訂正する。
ａ．特許請求の範囲の「【請求項１】トラクタの後部に牽引するマルチ同時土壌消毒機において、トラクタのタイヤの後部にサブソイラを配置し、該サブソイラの後部に配置した横杆に複数本の薬液注入爪を配置し、該それぞれの薬液注入爪の後部にポンプ及び駆動部を配置し、前記駆動部の駆動輪により土壌を鎮圧すべく構成し、前記ポンプ及び駆動部の後部に土壌均平板を配置し、該土壌均平板の左右側方位置に溝切りディスクを配置し、前記土壌均平板の後部にフィルム筒とフィルム押圧輪と覆土ディスクを配置したことを特徴とする土壌消毒機。
　【請求項２】請求項１記載の土壌消毒機において、それぞれの駆動部の駆動輪の枢支軸を軸連結したことを特徴とする土壌消毒機」を
「【請求項１】　トラクタの後部に牽引するマルチ同時土壌消毒機において、トラクタのタイヤの後部にサブソイラを配置し、該サブソイラの後部に配置した横杆に複数本の薬液注入爪を配置し、該それぞれの薬液注入爪の後部にポンプ及び駆動部を配置し、前記駆動部の駆動輪により土壌を鎮圧すべく構成し、前記ポンプ及び駆動部の後部に土壌均平板を配置し、該土壌均平板の左右側方位置に溝切りディスクを配置し、前記土壌均平板の後部にフィルム筒とフィルム押圧輪と覆土ディスクを配置し、前記それぞれの駆動部の駆動輪の枢支軸を軸連結したことを特徴とする土壌消毒機」と訂正する。
ｂ．明細書段落【００１７】の「請求項２の如く構成したので、圃場の傾斜や凹凸に関係なく、薬液ポンプを駆動させることができることにより、薬液を土壌内に均一に注入することができ、確実に土壌内の殺虫作業を行うことができるのである。」を
「また、圃場の傾斜や凹凸に関係なく、薬液ポンプを駆動させることができることにより、薬液を土壌内に均一に注入することができ、確実に土壌内の殺虫作業を行うことができるのである。」と訂正する。
（５４）【発明の名称】
土壌消毒機
（５７）【特許請求の範囲】
　【請求項１】　トラクタの後部に牽引するマルチ同時土壌消毒機において、トラクタのタイヤの後部にサブソイラを配置し、該サブソイラの後部に配置した横杆に複数本の薬液注入爪を配置し、該それぞれの薬液注入爪の後部にポンプ及び駆動部を配置し、前記駆動部の駆動輪により土壌を鎮圧すべく構成し、前記ポンプ及び駆動部の後部に土壌均平板を配置し、該土壌均平板の左右側方位置に溝切りディスクを配置し、前記土壌均平板の後部にフィルム筒とフィルム押圧輪と覆土ディスクを配置し
、前記それぞれの駆動部の駆動輪の枢支軸を軸連結したことを特徴とする土壌消毒機。
【発明の詳細な説明】
　【０００１】
　【産業上の利用分野】
　本発明は、園芸作物や野菜等を栽培する圃場において発生する根食い虫等を、播種の前に殺虫する為に薬液を土壌に注入し、該薬液がガス化して住宅地等に流れるのを阻止し、また、ガスを滞留させることにより殺虫力が増強するように、薬液の注入と同時にマルチフィルムを被覆するマルチ同時土壌消毒機に関する。
　【０００２】
　【従来の技術】
　従来、マルチ同時土壌消毒機に関する技術は、公知のものとされているのである。例えば、図５に示す如く、マルチ同時土壌消毒機の構成は、トラクタのタイヤの後部にサブソイラ７を配置し、該サブソイラ７の後部に配置した横杆４２に薬液注入爪９を配置し、該薬液注入爪９の左右側方位置にマルチ同時土壌消毒機を支持するゲージ輪４１・４１を配置し、前記薬液注入爪７とゲージ輪４１・４１の後部に土壌均平板２を配置し、該土壌均平板２の後部に溝切りディスク６とフィルム筒３とフィルム押圧輪４と覆土ディスク５を配置しているのであり、前記サブソイラ７によりトラクタのタイヤの軌跡を消し、薬液注入爪９により薬液を土壌内に注入し、そして、土壌表面を土壌均平板２により均平にしてフィルム筒３に巻かれているマルチフィルムを被覆するのである。このようにすることにより薬液が気化してマルチフィルムの下に滞留するので、土壌内の根食い虫等を殺虫することができるのである。
　【０００３】
　【発明が解決しようとする課題】
　しかし、前記の従来技術において、土壌均平板にて薬液注入爪の注入跡が残らないようにしているのであるが、該注入跡を完全に消すことができず、土壌表面に凹部ができ、マルチフィルムを被覆しても捲れてしまうという不具合が生じる場合がある。そこで、本発明は、構造を複雑にすることなく、薬液を注入した後の薬液を圧封し、土壌表面を完全に均平にし、マルチフィルムが捲れてしまうことがないようにすることにより、確実に土壌内の殺虫作業を行うことができるマルチ同時土壌消毒機を構成することを目的とするのである。
　【０００４】
　【課題を解決するための手段】
　本発明の解決すべき課題は以上の如くであり、次に該課題を解決する手段を説明する。即ち、トラクタの後部に牽引するマルチ同時土壌消毒機において、トラクタのタイヤの後部にサブソイラを配置し、該サブソイラの後部に配置した横杆に複数本の薬液注入爪を配置し、該それぞれの薬液注入爪の後部にポンプ及び駆動部を配置し、前記駆動部の駆動輪により土壌を鎮圧すべく構成し、前記ポンプ及び駆動部の後部に土壌均平板２を配置し、該土壌均平板の左右側方位置に溝切りディスクを配置し、前記土壌均平板の後部にフィルム筒とフィルム押圧輪と覆土ディスクを配置し、前記それぞれの駆動部の駆動輪の枢支軸を軸連結したものである。
　【０００５】
　【作用】
　次に、本発明の作用について説明すると、サブソイラ７Ｌ・７Ｒによりトラクタのタイヤの軌跡を消し、薬液注入爪９により薬液を土壌内に注入し、該土壌の上を駆動部の駆動輪にて鎮圧することにより薬液を圧封し、土壌均平板２により土壌表面を均平にし、該土壌の上にフィルム筒３に巻かれたマルチフィルムＦを被覆するのである。このようにすることによりクロールピクリン等の殺虫力の強い薬液が気化してマルチフィルムＦの下に滞留し、土壌内の根食い虫等を完全に殺虫するのである。
　【０００６】
　【実施例】
　次に本発明の実施例を説明する。図１は、本発明の土壌消毒機の全体斜視図、図２は、同じく側面図、図３は、同じく平面図、図４は、折り畳み部Ａの斜視図である。
　【０００７】
　図１・図２・図３において、本発明の土壌消毒機の全体構成を説明すると、土壌消毒機は、トラクタの後部に装着する牽引タイプであり、トラクタのトップリンクとロアリンクが本体前部のトップリンクマスト２０に装着されるのである。
該トップリンクマスト２０の左右の位置には、サブソイラ７Ｌ・７Ｒが配置されており、該サブソイラ７Ｌ・７Ｒは、トラクタのタイヤの通過位置を通るように構成し、該タイヤの軌跡を消して行くのである。
　【０００８】
　前記サブソイラ７の後部には、横杆２２が配置され、該横杆２２には、複数の薬液注入爪９・９・・が配置され、該薬液注入爪９・９・・の後部には、それぞれに薬液ポンプ１４・１４・・及び駆動部Ｄ・Ｄ・・が配置され、該薬液ポンプ１４及び駆動部Ｄは、横杆２２が支持している支持杆２３に支持されているのである。
　【０００９】
　前記横杆２２の上方位置には、タンク載置台１７・１７が配置され、該タンク載置台１７・１７には、薬液タンク１２・１２が載置されている。該薬液タンク１２・１２の間には、薬液の流出確認計１６・１６・・が配置されており、該流出確認計１６・１６・・は、前記横杆２２に支持されている。薬液タンク１２内の薬液は、流出確認計１６を介して薬液ポンプ１４により吸引され、圧力を付加されて吐出され、薬液注入爪９の先端から土壌内に注入されるのである。前記薬液ポンプ１４の動力は、駆動部Ｄの駆動輪１の枢支軸２５に設けられているカム８が回動ずることにより得られるのである。前記消毒薬注入爪９は、前方に向いて傾斜しており、本実施例においては６本が配置されており、それぞれに薬液ポンプ１４・１４・・と駆動部Ｄ・Ｄ・・が配置されているのである。
　【００１０】
　前記駆動部Ｄ・Ｄ・・の駆動輪１・１・・の枢支軸２５は、軸連結されており、該枢支軸２５が軸連結されていることにより、圃場の傾斜や凹凸部等において一の駆動輪１が浮いてしまった場合でも、他の駆動輪１が接地して回転していれば、浮いてしまった駆動輪１の薬液ポンプ１４を駆動させることができるのである。即ち、いずれか一つの駆動輪１が接地して回転していれば、すべての薬液ポンプ１４・１４・・を駆動させることができるのである。このような駆動輪１４により薬液ポンプ１４を駆動させる構成は、作業速度に関係なく均一な薬液の注入を行うことができるのである。
　【００１１】
　前記薬液ポンプ１４及び駆動部Ｄの後部には、土壌均平板２が配置されている。該土壌均平板２は、前記横杆２２の左右端部から後方に突設されている前後杆１８・１８に支持されており、該前後杆１８上の支持部２４を介して前後方向に摺動可能に構成されており、土のたまり量が多くて駆動輪１の回転に支障をきたす場合に、後方へ移動することができるのである。土壌均平板２の左右側方位置には、溝切りディスク６・６が配置されており、該溝切りディスク６・６は、前記前後杆１８・１８後端部の折り畳み部Ａ・Ａに枢支されているＬ字型の支持杆２６・２６に支持されている。
　【００１２】
　前記折り畳み部Ａは、図４に示す如く、前後杆１８の後端部に取付プレート１０が固設され、該取付プレート１０にピン１１を介してＬ字型支持杵２６が回動可能に枢支されている。前記取付プレート１０には、前後杆の延長方向位置と、定角度位置にピン孔１０ａ・１０ｂが開口され、前記Ｌ字型支持杆２６には、ピン孔１０ａ・１０ｂと一致するピン孔が開口されている。Ｌ字型支持杆２６のピン孔を前記ピン孔１０ａと一致させてロックピン１３を挿入したときが、収納位置となり、前記ピン孔１０ｂと一致させてロックピン１３を挿入したときが、作業位置となるように構成されている。このようにロックピン１３を差し替えることにより、Ｌ字型支持杆２６を折り畳むことができるのである。
　【００１３】
　前記Ｌ字型支持杆２６・２６には、マルチフィルムＦを巻いた状態のフィルム筒３が架設支持されており、該フィルム筒３は、前記溝切りディスク６の後方位置に配置されている。フィルム筒３の後部には、フィルム押圧輪４・４と覆土ディスク５・５が配置されており、前記フィルム押圧輪４と覆土ディスク５は、前記Ｌ字型支持杆２６の後端部に枢支されている解除支持杆２７に支持されている。該解除支持杆２７は、スプリング１５の付勢により上方へ回動解除可能に構成されており、作業終了後は、上方へ回動して収納位置に維持されるのである。
　【００１４】
　以上のように構成することにより、殺虫作業時は、サブソイラ７Ｌ・７Ｒによりトラクタのタイヤの軌跡を消し、薬液注入爪９・９・・により薬液を土壌内に注入し、該土壌の上を駆動部の駆動輪１・１・・にて鎮圧することにより薬液を圧封し、土壌均平板２により土壌表面を均平にし、溝切りディスク６Ｌ・６Ｒにより土壌に溝を開け、該溝にフィルム筒３のマルチフィルムＦの左右の端部をフィルム押圧輪４により押圧した状態で、覆土ディスク５にて覆土し、マルチフィルムＦが風で飛ぶことの無いように押さえることにより、クロールピクリン等の殺虫力の強い薬液が気化してマルチフィルムＦの下に滞留し、土壌内の根食い虫等を完全に殺虫するのである。
　【００１５】
　また、作業終了後は、解除支持杆２７・２７を収納位置にし、Ｌ字型支持杵２６・２６を折り畳み収納位置にてロックピン１３・１３により固定することにより、機体の全幅及び全長が短くなるので、トラクタが路上を走行する場合等の機体の移動に際して障害物の回避を容易に行なうことができ、機体の格納場所の省スペース化を図ることができるのである。
　【００１６】
　【発明の効果】
　本発明は以上の如く構成したので、次のような効果を奏するのである。即ち、請求項１の如く構成したので、薬液注入爪毎に設けられた駆動輪にて土壌を鎮圧し、注入した薬液を圧封し、土壌均平板にて土壌表面を完全に均平にすることにより、ガスを逃がすことがなくなり、マルチフィルムが捲れてしまうことがなくなり、確実に土壌内の殺虫作業を行うことができるのである。
　【００１７】
　また、圃場の傾斜や凹凸に関係なく、薬液ポンプを駆動させることができることにより、薬液を土壌内に均一に注入することができ、確実に土壌内の殺虫作業を行うことができるのである。
【図面の簡単な説明】
　【図１】
　本発明の土壌消毒機の全体斜視図である。
　【図２】
　同じく、側面図である。
　【図３】
　同じく、平面図である。
　【図４】
　折り畳み部Ａの斜視図である。
　【図５】
　従来のマルチ同時土壌消毒機の配置を示す側面図である。
　【符号の説明】
１　駆動輪
２　土壌均平板
３　フィルム筒
４　フィルム押圧輪
５　覆土ディスク
６　溝切りディスク
７Ｌ，７Ｒ　サブソイラ
９　薬液注入爪